(57)【要約】【課題】音質及びメンテナンス性に優れた遊技機のスピーカ構造を得る。【解決手段】遊技の進行に伴い、スピーカ２００が振動され、スピーカボックス２１４内部の空気が振動されて効果音等の音が出力される。スピーカ２００の前方から出力された音は筒体２３０を進行し、特定周波数の音が共振により増幅されて開口部５８から遊技者に向けて振動波Ａとして出力される。一方、スピーカ２００の後方に出力された音は通音孔部２２２から振動波Ｂとして出力される。ここで、振動波Ａ及び振動波Ｂの音によってバスレフ方式が形成されるので、遊技者に向けて音質の優れた低音域の音を出力することができる。また、スピーカボックス２１４は開閉可能な皿ユニット４０に設けられているので、着脱が容易となり、メンテナンス性がよくなる。【選択図】図８
2008086440.tif 000002
【特許請求の範囲】
【請求項１】
遊技機本体の前面に開閉可能に設けられ、払い出された遊技球を前面略右側で受ける上皿と該上皿から排出された前記遊技球を前面略左側で受ける下皿が一体となった受皿ユニットと、
前記上皿と前記下皿の間に配置されたバスレフ方式のスピーカユニットと、
を備えたことを特徴とする遊技機のスピーカ構造。
【請求項２】
前記スピーカユニットが、
箱状の音響室と、
前記音響室の内部に設けられた振動体と、
前記振動体の振動によって出力された音を共振させて前記音響室に形成された開口から出力するポートと、
を備え、前記振動体が上方に向けて配置されていることを特徴とする請求項１に記載の遊技機のスピーカ構造。
【請求項３】
前記受皿ユニットが前記ポートから出力された音を前記受皿ユニットの正面から遊技者側へ出力することを特徴とする請求項１又は請求項２に記載の遊技機のスピーカ構造。
【請求項４】
前記開口が、前記受皿ユニットにおける遊技者に最も近い位置に設けられていることを特徴とする請求項３に記載の遊技機のスピーカ構造。
【発明の詳細な説明】
【技術分野】
【０００１】
本発明は、遊技機本体の前面部から音を出力する遊技機のスピーカ構造に関する。
【背景技術】
【０００２】
従来、パチンコ機等の遊技機におけるスピーカ構造として、遊技球を貯留する上皿の下方側に配置された下皿ユニットに、遊技者の正面に向けてスピーカユニットを設置したものがある。（例えば、特許文献１参照）
【特許文献１】特開２００４−２９０３５７号公報
【発明の開示】
【発明が解決しようとする課題】
【０００３】
しかしながら、特許文献１のスピーカ構造では、下皿ユニットにスピーカユニットを設置するため、スピーカユニットの大きさは下皿ユニットの大きさにより限定され、大型のスピーカユニットを設置できなかった。
【０００４】
また、スピーカユニットが遊技者の正面を向いており、スピーカの後方に出力された音を有効利用するスペースが無いため、スピーカの後方に出力された音を利用して低音の音質を向上するバスレフ型エンクロージャ方式を採用できず、低音の音質を向上させることが困難であった。
【０００５】
さらに、下皿ユニットは遊技機本体に固定されているので、スピーカのメンテナンスを行う場合に、下皿ユニットを分解しなくてはならず、メンテナンスが容易ではなかった。
【０００６】
本発明は、上記事実を考慮して、音質及びメンテナンス性に優れた遊技機のスピーカ設置構造を得ることを目的とする。
【課題を解決するための手段】
【０００７】
本発明の請求項１に係る遊技機のスピーカ構造は、遊技機本体の前面に開閉可能に設けられ、払い出された遊技球を前面略右側で受ける上皿と該上皿から排出された前記遊技球を前面略左側で受ける下皿が一体となった受皿ユニットと、前記上皿と前記下皿の間に配置されたバスレフ方式のスピーカユニットと、を備えたことを特徴としている。
【０００８】
上記構成によれば、上皿と下皿が一体となった受皿ユニットにおいて、前面略右側で遊技球を受ける上皿と前面略左側で遊技球を受ける下皿の間にスピーカユニットを設置するので、上皿と下皿が分離された遊技機に比べて大型のスピーカユニットが設置可能となる。
【０００９】
また、大型のスピーカユニットが設置できるので、音響空間を広くして、バスレフ方式による音の増幅領域を確保することができ、遊技機の特に低音側の音質を向上できる。
【００１０】
さらに、スピーカユニットを搭載した受皿ユニットが、遊技機本体の前面で開閉可能に設けられているので、スピーカユニットのメンテナンスが容易となる。
【００１１】
本発明の請求項２に係る遊技機のスピーカ構造は、前記スピーカユニットが、箱状の音響室と、前記音響室の内部に設けられた振動体と、前記振動体の振動によって出力された音を共振させて前記音響室に形成された開口から出力するポートと、を備え、前記振動体が上方に向けて配置されていることを特徴としている。
【００１２】
上記構成によれば、遊技機は、正面から見て鉛直方向に縦長で、奥行きが短い形状となっているが、振動体を上方に向けて配置することにより、スピーカユニット内部における空気を振動させる音響空間を広く得ることができる。
【００１３】
本発明の請求項３に係る遊技機のスピーカ構造は、前記受皿ユニットが前記ポートから出力された音を前記受皿ユニットの正面から遊技者側へ出力することを特徴としている。
【００１４】
上記構成によれば、遊技者には、音以外に振動した空気が伝わるので、遊技機におけるゲームの臨場感が増す。
【００１５】
本発明の請求項４に係る遊技機のスピーカ構造は、前記開口が、前記受皿ユニットにおける遊技者に最も近い位置に設けられていることを特徴としている。
【００１６】
上記構成によれば、振動した空気が、遊技者に伝わり易くなるので、ゲームの臨場感が増す。
【発明の効果】
【００１７】
本発明は、上記構成としたので、上皿と下皿が分離された遊技機に比べて大型のスピーカユニットが設置可能となる。また、音響空間を広くして、バスレフ方式による音の増幅領域を確保することができ、遊技器の特に低音側の音質を向上できる。さらに、スピーカユニットのメンテナンスが容易となる。
【発明を実施するための最良の形態】
【００１８】
以下、本発明の実施形態に係る遊技機のスピーカ構造について図面を参照して説明する。
【００１９】
（パチンコ機の構成）
図１及び図２には、パチンコ機１０が示されている。
【００２０】
図１及び図２に示すように、パチンコ機１０は、パチンコ機１０の外郭を構成するとともにパチンコホールの島設備に設置される矩形状の外枠１２を備えている。
【００２１】
外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２２】
内枠１４は、外枠１２の左上角部と下飾り１６の左上角部とに設けられた一対のヒンジ部１８、２０に、左側端部が軸支されて開閉可能に取り付けられている。
【００２３】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００２４】
ガラス枠２２の裏面側となる内枠１４の前面上部には、矩形状の開口部１５が形成されている。この内枠１４の開口部１５には、遊技盤Ｇが着脱（交換）可能にセットされている。
【００２５】
遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００２６】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２７】
一方、内枠１４の前面下部には、パチンコ機１０の前面下部を構成する皿ユニット４０が配置されている。
【００２８】
皿ユニット４０は、皿ユニット４０の本体部を構成するベース４１の左側端部が、内枠１４に軸支されて開閉可能に取り付けられている。
【００２９】
ベース４１の前面上部には、パチンコ球を遊技盤Ｇへ向けて発射するために貯留して発射装置６０へ供給する上皿４２が突設されている。上皿４２の中心位置は、ベース４１の中央より右寄りとなっている。また、ベース４１の前面下部における上皿４２の左下には、上皿４２に貯留しきれないパチンコ球を貯留するための下皿４４が突設されている。
【００３０】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００３１】
ベース４１によって構成された上皿４２の奥壁面における右側端部には、内枠１４の裏面に設けられた払出装置６２（図３参照）から払い出された貸し球や賞球が排出される球排出口４８が形成されている。
【００３２】
下皿４４の奥壁面における右側端部には、上皿４２に貯留しきれないパチンコ球が排出される球排出口４９が形成されている。
【００３３】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。
【００３４】
また、ベース４１の前面略中央は矩形箱状に膨出しており、内部には、遊技の進行に応じて効果音を出力する重低音用のスピーカユニット２１４（図４参照）が設けられている。スピーカユニット２１４から出力された音は、ベース４１の前面に形成された開口部５８から出力される。
【００３５】
図２に示すように、ベース４１の裏面における略中央部には、上皿４２に貯留しきれないパチンコ球を下皿４４へ流下させる球通路７０が設けられている。
【００３６】
球通路７０は、上端部に通路入口７２が形成され、下端部に形成された通路出口は、球排出口４９と連通している。球通路７０よりも回転支軸に近い側には、球送り装置４５が取り付けられている。
【００３７】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３８】
貯球タンク７４は、上面が開口した箱型とされ、タンク底面が正面視にて左側から右側へ向けて下り傾斜している。
【００３９】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００４０】
図２及び図３に示すように、内枠１４の裏面における開放側（裏面視左側）の側端部には、内枠１４及びガラス枠２２を施錠するための施錠装置６４が取付けられている。
【００４１】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００４２】
施錠装置６４にはシリンダー錠６６が設けられており、シリンダー錠６６は、皿ユニット４０の前面右上に露出されている。
【００４３】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４４】
さらに、ガラス枠２２を開放することで露出されるロック装置６８のロック解除レバー６９を操作すると、内枠１４にロックされていた皿ユニット４０がロック解除されて開放可能となる。
【００４５】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４６】
図３に示すように、内枠１４の裏面における上部には、島設備から供給されたパチンコ球を貯留するための上タンク８０及び下タンク８２が設けられている。
【００４７】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００４８】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００４９】
発射装置６０の左側には、払出装置６２を制御してパチンコ球の払い出しを実行及び停止させる払出制御基板８８が設けられている。
【００５０】
払出制御基板８８は、払出停止制御と払出実行制御を実行可能に設けられている。
【００５１】
払出停止制御の場合、払出制御基板８８は、払出装置６２を駆動停止させてパチンコ球の払い出しを停止する。
【００５２】
一方、払出実行制御の場合、図１〜図３に示すように、払出制御基板８８は、払出装置６２を駆動させて、上タンク８０及び下タンク８２から上部球通路ユニット８４を流下し払出装置６２に誘導されたパチンコ球を、貸し球又は賞球として下部球通路ユニット８６へ払い出す。
【００５３】
そして、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５４】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５５】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなることにより、遊技盤Ｇにてパチンコ球を用いた遊技が行われる。
【００５６】
遊技の進行に伴い、大量のパチンコ球が賞球として払い出されるなどし、上皿４２が満タンになると、上皿４２に貯留しきれないパチンコ球は貯球タンク７４に貯留される。
【００５７】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００５８】
また、遊技の終了時などに、上皿４２の前面左側に設けられた上皿用球抜きレバー５０を操作すると、整列通路４６の最下流部が開放して、上皿４２に貯留されたパチンコ球が球通路７０へ排出され下皿４４へ流下する。
【００５９】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００６０】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００６１】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００６２】
このシャッター板９０、９２によって、皿ユニット４０を開放した際に、貯球タンク７４及び上皿４２からパチンコ球が流出しないよう塞き止められる。
【００６３】
（パチンコ機のスピーカ設置構造）
次に、パチンコ機１０のスピーカ設置構造について説明する。
【００６４】
図４は、パチンコ機１０の前面に設けられた皿ユニット４０の分解図である。
【００６５】
図４に示すように、皿ユニット４０は、本体部２０２とカバーユニット２０４とで構成されている。カバーユニット２０４は、メインカバー２０６、センターカバー２０８、及び底カバー２１０で構成されている。
【００６６】
カバーユニット２０４は、メインカバー２０６、センターカバー２０８、及び底カバー２１０が組み合された状態で、図４の幅方向中央部が紙面手前側に突出した円弧形状となっている。これにより、本体部２０２とカバーユニット２０４との間に空間部が形成される。
【００６７】
メインカバー２０６の幅方向中央部には、球貸し等を行うためのスイッチ等が配置されたスイッチボックス２１２が設けられている。
【００６８】
スイッチボックス２１２は、センターカバー２０８によって被覆されている。ここで、スイッチボックス２１２には、センターカバー２０８に設けられた開口部５８と対向する位置に、矩形孔２１２Ａが形成されている。
【００６９】
開口部５８は、皿ユニット４０において遊技者に最も近い位置にあり、矩形孔２１２Ａの周囲には、ビス締結用の締結孔２２９が形成されている。
【００７０】
また、本体部２０２とカバーユニット２０４とで形成される空間部は、上端部が上皿４２によって覆われ、下端部が底カバー２１０によって覆われており、前記空間部は、ほぼ密閉状態となっている。
【００７１】
メインカバー２０６には、前述の空間部を利用して下皿４４、灰皿５６等が形成され、発射ハンドル５４を取り付けるための凹陥部２１１が形成されている。
【００７２】
一方、センターカバー２０８の裏面側で前述の空間部における最も広い領域には、スピーカボックス２１４が収容されている。
【００７３】
図４〜図６に示すように、スピーカボックス２１４は、四隅がＲ形状（円弧形状）の有底の箱体である。スピーカボックス２１４の底部２１６には円孔２１８が形成され、底部２１６の下面側からスピーカ２００がビス２２１によって取り付けられている。
【００７４】
スピーカ２００の周囲には、前記底部２１６から下方向へ突出する矩形筒状の側壁２２０が設けられ、底カバー２１０とともにスピーカ２００の周囲を閉塞している。側壁２２０の高さは、バスレフ方式の効果が得られるように、予め所定の長さとなっている。
【００７５】
スピーカ２００を構成しているマグネット部は、底カバー２１０に設けられた網目状の通音孔部２２２と対向している。
【００７６】
通音孔部２２２は、図７に示すように、底カバー２１０の下方に音を出力するための複数の矩形の孔で構成されている。また、通音孔部２２２の外径は、前記マグネット部の外径とほぼ同一となっている。
【００７７】
これにより、スピーカ２００の後方（図４の下方）に出力された音が、通音孔部２２２から外部へ出力される。
【００７８】
一方、図４〜図６に示すように、スピーカボックス２１４の上部開口には、蓋体２２４がビス２１９で取り付けられている。蓋体２２４は、薄肉で、上に凸の湾曲形状となっている。このため、スピーカ２００が低音域の音を出力すると、この出力に伴って振動し易い構造となっている。
【００７９】
なお、蓋体２２４は、上皿４２の下面に接触、あるいは近接して配置されており、低音域の音が出力されるときの振動が上皿４２に伝わり易くなっている。
【００８０】
スピーカボックス２１４の前側には、矩形孔２２６が形成されている。矩形孔２２６には、一端部に矩形状のフランジ２２８が形成された筒体２３０が挿入され、フランジ２２８が矩形孔２２６の周縁部に接着されている。
【００８１】
筒体２３０の長手方向の長さは、低音域が強調されるように、予め所定の長さとなっている。
【００８２】
フランジ２２８には、メッシュ板２３２が取り付けられ、ビス２３４によって、フランジ２２８とメッシュ板２３２が、スピーカボックス２１４の矩形孔２２６の周縁に共締めされている。
【００８３】
ここで、フランジ２２８の周囲で、前述の締結孔２２９と同位置には締結孔２２７が形成されており、図示しないビスが締結孔２２９及び締結孔２２７に締結されて、スピーカボックス２１４が皿ユニット４０に固定される。
【００８４】
これらの構成により、スピーカボックス２１４は、スピーカ２００のエンクロージャとしての役目を果たすことになる。
【００８５】
次に、本実施形態の作用について説明する。
【００８６】
図８に示すように、遊技の進行に伴い、図示しない制御基板によりスピーカ２００が振動され、スピーカボックス２１４内部の空気が振動されて効果音等の音が出力される。
【００８７】
スピーカ２００の前方から出力された音の振動波Ａは正位相であり、振動波Ａは、筒体２３０を進行し、特定周波数の音が共振により増幅される。増幅された音の振動波Ａは、メッシュ板２３２を通過し、開口部５８から遊技者に向けて出力される。
【００８８】
このとき、開口部５８からは、音とともに振動した空気が放出されており、遊技者には音とともに振動した空気が伝達され、遊技者は、遊技の臨場感をより強く体感できる。
【００８９】
一方、スピーカ２００の後方に出力された音の振動波は逆位相であり、側壁２２０で閉塞された空間を伝播し通音孔部２２２から出力されるまでの間に、逆位相から正位相に変換され、通音孔部２２２から振動波Ｂの音として出力される。
【００９０】
このように、振動波Ａ及び振動波Ｂの音によってバスレフ方式が形成され、遊技者に向けて音質の優れた低音域の音を出力することができる。なお、「音質の優れた」とは特に基準があるものではなく、バスレフ方式を用いていない従来のスピーカに比べて低音域の周波数帯域を拡大し、音場の指向性がよくなることを言う。
【００９１】
また、スピーカ２００は、スピーカボックス２１４に取り付けられることでボックス型のスピーカユニットを構成しており、皿ユニット４０において着脱が容易となっている。
【００９２】
一方、スピーカ２００が、遊技の進行に伴って効果音、ＢＧＭ、音声等の低音域を出力するとき、スピーカボックス２１４の蓋体２２４が振動し、上皿４２に伝えられる。
【００９３】
このため、上皿４２及び整列通路４６において球詰まりを起こして静止状態となっている遊技球に運動エネルギーを与えることができ、それぞれの遊技球が動き出す（振動する）ことで、自然に球詰まりが解消される。また、下皿４４においてもカバーユニット２０４を介して振動が伝えられるため、この下皿４４での球詰まりも解消される。
【００９４】
以上説明したように、本発明の実施形態では、上皿４２と下皿４４が一体となった皿ユニット４０において、前面略右側でパチンコ球ＰＢを受ける上皿４２と前面略左側でパチンコ球ＰＢを受ける下皿４４の間にスピーカユニット２１４を設置するので、上皿４２と下皿４４が分離されたパチンコ機に比べて大型のスピーカユニット２１４が設置可能となる。
【００９５】
これにより、音響空間を広くして、バスレフ方式による音の増幅領域を確保することができ、特に低音側の音質を向上できる。
【００９６】
また、スピーカユニット２１４を搭載した皿ユニット４０が、パチンコ機１０の前面で開閉可能に設けられているので、スピーカユニット２１４のメンテナンスが容易となる。
【００９７】
さらに、スピーカ２００が上方に向けて配置されることにより、スピーカユニット２１４内部の空気を振動させる音響空間を広く得ることができる。
【００９８】
また、遊技者には、音以外に振動した空気が伝わるので、パチンコ機１０における遊技の臨場感が増す。
【００９９】
さらに、開口部５８が遊技者に最も近い位置にあるので、振動した空気が、遊技者に伝わり易くなるので、遊技の臨場感が増す。
【０１００】
なお、本発明は上記の実施形態に限定されない。
【０１０１】
スピーカユニット２１４と筒体２３０が一体成型されたものであってもよい。
【０１０２】
また、底カバー２１０とスピーカユニット２１４が一体となったものであってもよい。
【０１０３】
さらに、側壁２２０に筒体２３０と同様のものを設け、スピーカ２００の後方から出力された音を、遊技者に向けて出力するものであってもよい。
【図面の簡単な説明】
【０１０４】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係る皿ユニット及びスピーカボックスの分解図である。
【図５】本発明の実施形態に係るスピーカボックスの斜視図である。
【図６】本発明の実施形態に係るスピーカボックスの分解図である。
【図７】本発明の実施形態に係る皿ユニットの底面図である。
【図８】本発明の実施形態に係るスピーカボックスの断面図である。
【符号の説明】
【０１０５】
１０  パチンコ機（遊技機）
１４  内枠（遊技機本体）
４０  皿ユニット（受皿ユニット）
４２  上皿（上皿）
４４  下皿（下皿）
２００  スピーカ（振動体）
２１４  スピーカユニット（スピーカユニット、音響室）
２２６  矩形孔（開口）
２３０  筒体（ポート）
ＰＢ  パチンコ球（遊技球）
【図１】
2008086440.tif 000003
【図２】
2008086440.tif 000004
【図３】
2008086440.tif 000005
【図４】
2008086440.tif 000006
【図５】
2008086440.tif 000007
【図６】
2008086440.tif 000008
【図７】
2008086440.tif 000009
【図８】
2008086440.tif 000010